(57)【要約】【課題】  印刷中断時や、記録パス数の急な変化時においても、つなぎスジ補正処理を迅速に行なうことを目的とする。【解決手段】  メインメモリの記録データを、一旦画像処理を行なう為の専用メモリに書き出して画像処理を行なう構成のインクジェット記録装置において、つなぎスジ補正を行なう為のブロックを２つ備え、メインメモリと画像処理を専用メモリそれぞれと接続するか、若しくはつなぎスジ補正を行なう為のブロックのインターフェースをメインメモリと画像処理専用メモリ両方に対して有し、通常は画像処理専用メモリ側の回路にて処理を行ない、急遽追加のつなぎスジ補正処理のみを行なう場合は画像処理専用メモリに書き出すことなく処理を行なう。【選択図】  図１
2008126621.tif 000002
【特許請求の範囲】
【請求項１】
複数の記録要素から成る記録ヘッドを備え、前記記録ヘッドを往復走査しながら記録紙にインクを吐出して記録を行なうインクジェット記録装置であって、ホスト装置より送信された記録データを前記記録ヘッドから吐出する為のデータへ処理する画像処理手段を備え、前記画像処理手段は、前記記録ヘッドの走査によって記録媒体に記録されるバンド同士のつなぎ部近傍へ本来打ち込まれるべきインクの量を算出し、該算出されたインクの量に基づいて、つなぎ部近傍に打ち込むインクの量を制御するつなぎスジ低減手段を２個備えることを特徴とする画像記録装置。
【請求項２】
前記２個のつなぎスジ低減手段は、通常処理の場合と急な処理を行なう必要が生じた場合とで、それぞれを使い分けることを特徴とする請求項１に記載の画像記録装置。
【請求項３】
複数の記録要素から成る記録ヘッドを備え、前記記録ヘッドを往復走査しながら記録紙にインクを吐出して記録を行なうインクジェット記録装置であって、ホスト装置より送信された記録データを前記記録ヘッドから吐出する為のデータへ処理する画像処理手段を備え、前記画像処理手段は、前記記録ヘッドの走査によって記録媒体に記録されるバンド同士のつなぎ部近傍へ本来打ち込まれるべきインクの量を算出し、該算出されたインクの量に基づいて、つなぎ部近傍に打ち込むインクの量を制御するつなぎスジ低減手段を備え、前記つなぎスジ低減手段は処理を行なうデータを読み込む経路を２個備えることを特徴とする画像記録装置。
【請求項４】
前記つなぎスジ低減手段は、通常処理の場合と急な処理を行なう必要が生じた場合とで、データを読み込む手段のそれぞれを使い分けることを特徴とする請求項３に記載の画像記録装置。
【発明の詳細な説明】
【技術分野】
【０００１】
本発明は、被記録紙に対して画像を記録する画像記録装置、例えば、カラープリンタ等の画像記録装置に関するものである。
【背景技術】
【０００２】
従来から、記録ヘッドの記録素子としてのノズルからインクを吐出させ、記録紙上に画像記録を行なうインクジェット方式の画像記録装置が知られている。
【０００３】
パーソナル・コンピュータや複写装置、ワード・プロセッサ等のＯＡ機器は高機能化に伴うカラー化が進んでおり、これらの機器における画像形成（記録）装置の一つとして様々なカラー・インクジェット記録装置が提供されてきている。
【０００４】
インクジェット記録装置の代表的なものとしては、記録ヘッドおよびインクタンクを搭載するキャリッジと、記録紙を搬送する搬送機構と、これらの動作を制御する制御手段とを具えたものである。そして、複数の吐出口からインク液滴を吐出させる記録ヘッドを記録紙の搬送方向（以下、「副走査方向」ともいう）と直交する方向（以下、「主走査方向」ともいう）にシリアル・スキャンさせてこの間に記録紙に対してインク吐出を行ない、一方でこのスキャンとスキャンとの間に記録幅に関連した量で記録紙を間欠搬送し、複数のスキャンと紙搬送を行って前画像領域の記録を行なう。
【０００５】
カラー記録を行なう場合は、複数種類のインクの色に応じて複数の記録ヘッドを備え、これらの記録ヘッドから吐出されるインク滴を重ねあわせることにより、または近接して着弾させることによりカラー画像を記録する。
【０００６】
以上のように、インクジェット記録装置は、比較的簡便で優れた記録手段として幅広い産業分野で需要が高まっており、印字速度の高速化への要求や、又、より一層高品位である画像の提供が求められている。
【０００７】
高速化を重視した印字を行なう際には、高画質を実現するために用いられているマルチパス印字の際のパス数を減らすといった方法が有効である。ここで印字のパス数とは、１ラインの画像領域の記録を完成させるのに必要なキャリッジの走査回数のことである。
【０００８】
これは、記録ヘッドのノズルの数がある一定値である関係上、パス数が多いほど一回の紙搬送量は小さくなり、逆にパス数を少なくするほど一回の紙搬送量を大きくすることができるからである。例えば、2パスによる印字が行われているところを1パスで印字することが可能であれば、単純には約2倍の高速化が図れることになる。すなわち、パス数が少なくなればなるほど所定領域（例えば、１枚）の記録に要する記録ヘッドの走査回数は減り、かつ、一回の紙搬送量は大きくなり、結果的に１枚を印字するのにかかる時間は短くなる。
【０００９】
ところでインクジェット記録装置では、各ノズルのインク吐出量や吐出方向、また記録媒体の搬送量等に多少のばらつきがあり、このばらつきが原因で、画像上濃度ムラとして感知されることがある。特に、シリアルスキャン型のインクジェット記録装置は、各記録走査の間に副走査を行なうので、画像を記録する際には、必ず記録走査と記録走査の間につなぎ部分が生じる。このつなぎ部分に起こる周期的な黒スジや白スジは特に目立ちやすく、つなぎスジと呼ばれる画像問題となっていた。
【００１０】
このつなぎスジを低減するには、前述のばらつきを無くせば良いが、これは記録装置製造上、非常に困難なことである。
【００１１】
また、仮にばらつきが無いにしても、例えば普通紙のようにインクが浸透しやすい記録媒体の場合には、つなぎスジが発生しやすい傾向にある。
【００１２】
図５は上記現象を示したモデル図である。インクを吸収しやすい記録媒体の場合、第１記録走査で吐出されたインクは、図５（ａ）のように比較的速い時間で媒体に浸透していく。記録媒体を搬送した後、第２記録走査（第１走査の次の走査）が行われる時には、（ｂ）のように第１記録走査でのインクは既に浸透が終了しており、第２走査時で吐出されたつなぎ部分のインクは、第１記録走査時のインクに引き寄せられる。よって図のように両者の境界部分にインクの集まった濃度の高い部分が発生する。この濃度の高い境界部分が黒スジとなり、各記録走査の周期で規則的に現れるので、感知されやすく、このつなぎスジが生じると、印字品位は実使用に耐えがたいレベルとなることがある。
【００１３】
1パスで印字を行なう際には、１バンドの領域を1度の走査で形成するため、1度に被記録媒体上へ打ち込む記録インクのデューティー（比率）が１バンドの領域を複数回の走査で形成するマルチパス印字よりも多くなる。このため記録媒体や、記録液の性質により程度の差は異なるものの、1パス印字では印字デューティーの高い部分においてパス間（バンド間）のつなぎスジ発生は、顕著なものとなる。
【００１４】
従来より、このようなつなぎスジの発生をなくして、記録画像の高画質化を図る方法が種々提案されている（例えば、特許文献１参照）。
【００１５】
特許文献１には、シリアルスキャン方式において、記録ヘッドが主走査方向に繰り返し走査して１バンド分ずつ画像を記録するときに、その１バンド分ずつの記録領域のつなぎ部分にスジを発生させないようにする方法が記載されている。すなわち、つなぎ部分を記録する走査において、そのつなぎ部分の近傍領域に形成するインクドットのカウント数に応じて、そのつなぎ部分の近傍領域に対応する記録データを間引き処理する。これにより、つなぎ部分の近傍領域に形成するインクドットを間引いて、つなぎスジの発生を抑える。
【００１６】
つなぎスジの発生は図３で示したような現象により生じるので、第１記録走査時のインクの吐出が終了してから、第２記録走査時のインクの吐出が行なわれるまでの時間によって、第１記録走査時に吐出されたインクの固着状態が異なる為に、つなぎスジの濃度に違いが生じることから、特許文献１の方法でつなぎスジの発生を抑える場合には、記録データを間引く量を調節する必要がある。
【００１７】
また印字途中に印字のパス数が多くなるよう変更された場合においては、新しいつなぎ部が生じる事になるので、新しくつなぎ部となる領域に対して、追加で間引き処理を行なう必要がある。
【００１８】
一方、高画質化を実現する手法としては、先に述べたつなぎスジをはじめ様々な画像処理手段があり、これらの処理を記録データに対して施す。複数の画像処理手段を有するインクジェット画像記録装置の、内部の記録データ処理系のブロック図は図２のようになる。図２では、画像処理手段ａ２０４、画像処理手段ｂ２０５、画像処理手段ｘ２０６等の複数の画像処理手段からのＲＡＭ２０２に対するアクセス要求をメモリコントローラ２０３が制御し、ＲＡＭ２０２に格納された記録データを、所定の順序で各画像処理手段へ送信し、一つの画像処理手段が処理を施す。その後、記録データを一旦ＲＡＭ２０２に格納し直してから、メモリコントローラ２０３は次の画像処理手段からのアクセス要求を制御していく。
【００１９】
図２に示したような処理系において、メモリコントローラ２０３と通信を行なう画像処理手段が多く備える場合には、画像処理手段の増加に伴ってＲＡＭ２０２が接続されているバスの占有率が多くなってしまう。これにより例えばＣＰＵ２０１がＲＡＭ２０２内に格納されているテーブルを参照したい時に、何れかの画像処理手段がＲＡＭ２０２と通信を行なっている可能性が増す為に、ＣＰＵ２０１が無駄な待機時間を強いられ、全体のスループットに対して悪影響を与えてしまう恐れがある。
【００２０】
そこで画像処理手段を多く有するインクジェット画像記録装置の場合には、内部の処理系を図３のブロック図に示すような構成にして対応する。図３に示すブロック図では、全ての画像処理を行なう前にある領域の記録データを一旦ＲＡＭ３０２から、画像処理専用ＲＡＭ３０６へ書き出す。その後、各画像処理手段からのアクセス要求は画像処理専用ＲＡＭ３０６に対して出され、このアクセス要求は画像処理専用メモリコントローラ３０４が制御を行なう。画像処理専用ＲＡＭ３０６へ書き出されたある領域の記録データに対する一連の画像処理が終了したら、その記録データはＲＡＭ３０２へ書き戻される。こうすることにより、画像処理の為にＲＡＭ３０２が接続されているバスを使用するのは、一連の画像処理を行なう前と行なった後のみとなるのでバスの占有率を大幅に下げることが可能となり、スループットの低下を抑制できる。
【特許文献１】特開２００２−３６５２４号公報
【発明の開示】
【発明が解決しようとする課題】
【００２１】
印字中に突然印字が中断され、しばらく後に印字が再開された場合や、印字の途中に印字のパス数が多く変更された場合には、前述したように追加で間引き処理をする必要がある。
【００２２】
このような場合に、図3に示した構成と同様の構成を持ち、画像処理専用メモリコントローラにつなぎスジ補正処理回路が接続された図4に示す構成を持つ記録装置では、つなぎスジ補正処理を行なうためだけに、一旦画像処理専用ＲＡＭ４０６に記録データを書き出してから、つなぎスジ補正処理手段４０７においてつなぎスジ補正処理を行なった後にＲＡＭ４０２に書き戻す為、ＲＡＭアクセスを制御するメモリコントローラに直接画像処理手段が接続されている場合と比較して処理速度が遅くなってしまうという課題がある。
【００２３】
本発明の目的は、かかる従来技術における問題点を解決し、追加でつなぎスジ補正処理が必要となった場合においても、迅速に処理を行なうことを目的とする。
【課題を解決するための手段】
【００２４】
本発明に係るインクジェット記録装置は、複数の記録要素から成る記録ヘッドを備え、前記記録ヘッドを往復走査しながら記録紙にインクを吐出して記録を行なうインクジェット記録装置であって、ホスト装置より送信された記録データを前記記録ヘッドから吐出する為のデータへ処理する画像処理手段を備え、前記画像処理手段は、前記記録ヘッドの走査によって記録媒体に記録されるバンド同士のつなぎ部近傍へ本来打ち込まれるべきインクの量を算出し、該算出されたインクの量に基づいて、つなぎ部近傍に打ち込むインクの量を制御するつなぎスジ低減手段を２個備えることを特徴とする。
【００２５】
又、前記２個のつなぎスジ低減手段は、通常処理の場合と急な処理を行なう必要が生じた場合とで、それぞれを使い分けることを特徴とする。
【００２６】
又、本発明に係るインクジェット記録装置は、複数の記録要素から成る記録ヘッドを備え、前記記録ヘッドを往復走査しながら記録紙にインクを吐出して記録を行なうインクジェット記録装置であって、ホスト装置より送信された記録データを前記記録ヘッドから吐出する為のデータへ処理する画像処理手段を備え、前記画像処理手段は、前記記録ヘッドの走査によって記録媒体に記録されるバンド同士のつなぎ部近傍へ本来打ち込まれるべきインクの量を算出し、該算出されたインクの量に基づいて、つなぎ部近傍に打ち込むインクの量を制御するつなぎスジ低減手段を備え、前記つなぎスジ低減手段は処理を行なうデータを読み込む手段を２個備えることを特徴とする。
【００２７】
又、前記つなぎスジ低減手段は、通常処理の場合と急な処理を行なう必要が生じた場合とで、データを読み込む手段のそれぞれを使い分けることを特徴とする。
【発明の効果】
【００２８】
本発明によれば、つなぎスジ補正処理手段が画像処理専用ＲＡＭとのインターフェースを持つものと、通常のＲＡＭとのインターフェースを持つものと２個備えるか、若しくは１個のつなぎスジ補正処理手段が、インターフェースを画像処理専用ＲＡＭとのものと、通常のＲＡＭとのものと２個備え、通常の処理の場合には、その他の画像処理手段と同様に画像処理専用ＲＡＭに格納された記録データを読み出して処理を行なうが、急遽つなぎスジ補正処理を行なう必要が生じた場合においては、通常のＲＡＭに格納されている記録データを読み出して処理を行なう。
【００２９】
上記の効果により、急遽つなぎスジ補正処理を行なう必要が生じた場合においても、一旦画像処理専用ＲＡＭに記録データを格納することなく、通常のＲＡＭに格納されている記録データに直接アクセスすることが可能となり、迅速な処理を行なうことが可能となる。
【発明を実施するための最良の形態】
【００３０】
以下、本発明の実施の形態について図面を参照して説明する。
【００３１】
図６は、本発明の一実施形態に係るインクジェット記録装置の主に記録部の概略構成を示す斜視図である。
【００３２】
同図において、６０１はインクカートリッジを示し、ブラック(Ｂｋ)、シアン(Ｃ)、マゼンタ(Ｍ)、イエロ(Ｙ)４色のインクを個別に貯留するものであり、それぞれの貯留室を一体に構成するものである。
【００３３】
６０２は記録素子列のカートリッジを示し、インクカートリッジ６０１に貯留されるそれぞれのインクに対応した記録素子列が１色あたり２つ、計８つの収納された一つのユニットの形態で用いられる。すなわち、記録素子列カートリッジ６０２には、Ｂｋ、Ｃ、ＭおよびＹそれぞれのインクを吐出する記録素子列が各色2つ、これが４色分あり総計８つの記録素子が収納される。
【００３４】
６０３は、上述したインクカートリッジ６０１および記録素子列を収納したヘッドカートリッジ６０２をそれぞれ着脱自在に装着するキャリッジである。キャリッジ６０３は、ガイド軸６１０と摺動自在に係合することによりガイド軸６１０に沿って移動することができる。
【００３５】
６０４はキャリッジ６０３に対向する面に設けられたエンコーダスケールであり、３００ｄｐｉの間隔でスリットが設けられている。そして、エンコーダセンサ（不図示）が発光した光をこのエンコーダスケール６０４に照射して、その透過光に基づいてキャリッジ６０３の走査位置に関する信号を出力する。
【００３６】
６０５は紙送りローラであり、補助ローラ６０６とともに記録紙６０９を挟持しつつ図の矢印の方向に回転することにより、記録紙６０９を図中ｙ方向に搬送することができる。また、６０７及び６０８は一対の給紙ローラを示し、記録紙６０９を挟持しながらその給紙を行なう。
【００３７】
[第1の実施の形態]
図１は、本実施の形態における画像記録装置の基本構成を示すブロック図であり、本実施の形態における画像記録装置が備える構成ユニットを、その機能と共に説明すると以下の通りである。
【００３８】
１０１はＣＰＵであり、各ブロックのパラメータ設定、割り込み処理などを行なう。
【００３９】
１０２はＳＤＲＡＭであり、これはホスト装置から送られた記録データに対して色変換、マスキング、ガンマ変換など、記録のための所定の画像処理を施した後（これらの処理装置は図示しない）、最終的に２値化を行なって得られる２値の記録データを一時的に格納するものである。
【００４０】
１０３はメモリコントローラであり、これはＣＰＵ１０１を始め、各ブロックからのＳＤＲＡＭ１０２へのアクセスリクエストに対して予め設定された優先順序に則ってアクセス許可を行ない、ＳＤＲＡＭ１０２のリード、ライト制御を行なう。
【００４１】
１０４、１０５、１０６、そして１０８はそれぞれ画像処理専用メモリコントローラ、画像処理専用メモリ、つなぎスジ補正処理回路ａ、つなぎスジ補正処理回路以外の複数の画像処理回路であり、画像処理専用メモリコントローラ１０４はＳＤＲＡＭ１０２に格納された記録データを、画像処理を行なう為に読み出して、画像処理専用メモリ１０５へ格納する、その後所定の順序に従って複数の画像処理回路１０８の１つ、若しくはつなぎスジ補正処理回路ａ１０６へ記録データを渡し、その画像処理回路にて所望の処理が終了したら、一旦画像処理専用メモリコントローラ１０４を介して画像処理専用メモリ１０５へ書き戻し、次の画像処理を行なう画像処理回路へ記録データを読み出して、これを必要な画像処理が全て実施されるまで繰り返す。
【００４２】
１０７はつなぎスジ補正処理回路ｂであり、印字中に突然印字が中断され、しばらく後に印字が再開された場合や、印字の途中に印字のパス数が多く変更された場合の、追加でつなぎスジ補正処理を行なう必要が生じた場合に処理を行なう回路で、通常時のように記録データを一旦画像処理専用メモリ１０５に格納することなく、メモリコントローラ１０３を介してＳＤＲＡＭ１０２から直接読み出して処理を行ない、直接ＳＤＲＡＭ８０２に書き戻す。
【００４３】
なお、図示していないが、本実施形態の画像記録装置は、上述した記録動作や後述の記録データの生成に係る画像処理等を制御・実行する為の、ＣＰＵ，ＲＯＭ、ＲＡＭ、さらには専用回路より構成される制御部、外部のホスト装置との間で記録データや各種制御情報をやりとりするためのインタフェース部、キャリッジ駆動用のキャリッジ・モータ、給紙ローラ駆動用の給紙モータ、紙搬送駆動用の紙搬送モータなどを駆動するためのモータ・ドライバ、記録ヘッドを駆動するための記録ヘッド駆動用のドライバ、ユーザによる制御情報を入力するための操作パネル等を備えている。
【００４４】
図７は本実施の形態における、画像記録装置の処理手順を示すフローチャートである。
【００４５】
まずS７０１において所定の範囲の記録データをＳＤＲＡＭ１０２からメモリコントローラ１０３、画像処理専用メモリコントローラ１０４を経由して、画像処理専用メモリ１０４へ格納する。
【００４６】
次にS７０２では、必要な画像処理をつなぎスジ補正処理回路ａ１０６及び複数の画像処理回路１０８において、画像処理専用メモリコントローラ１０４の制御により行い、Ｓ７０３に進む。
【００４７】
Ｓ７０３では、画像処理が終了した記録データをＳＤＲＡＭ１０２に書き戻す。
Ｓ７０４では、追加でつなぎスジ補正処理を行なう必要が生じたか否かを判断する。
【００４８】
Ｓ７０４において、追加でつなぎスジ補正処理を行なう必要が生じた場合にはＳ７０５に進む。
【００４９】
Ｓ７０５では、追加のつなぎスジ補正処理をつなぎスジ補正処理回路ｂ１０７にて行ない、その後Ｓ７０６に進む。
【００５０】
一方Ｓ７０４において追加でつなぎスジ補正処理を行なう必要が生じなかった場合にはＳ７０６に進む。
【００５１】
そしてＳ７０６では、所定の処理が終了したデータを用いて印字を行なう。
【００５２】
Ｓ７０７では、記録が終了したか否かを判断する。
【００５３】
Ｓ７０７において、記録が終了していなかった場合にはS７０１に戻り、S７０１からS７０６までの処理を繰り返す。
【００５４】
S７０７において、記録が終了していた場合には処理を終了する。
【００５５】
[第２の実施の形態]
図８は、本実施の形態における画像記録装置の基本構成を示すブロック図であり、本実施の形態における画像記録装置が備える構成ユニットを、その機能と共に説明すると以下の通りである。
【００５６】
８０１はＣＰＵであり、各ブロックのパラメータ設定、割り込み処理などを行なう。
【００５７】
８０２はＳＤＲＡＭであり、これはホスト装置から送られた記録データに対して色変換、マスキング、ガンマ変換など、記録のための所定の画像処理を施した後（これらの処理装置は図示しない）、最終的に２値化を行なって得られる２値の記録データを一時的に格納するものである。
【００５８】
８０３はメモリコントローラであり、これはＣＰＵ８０１を始め、各ブロックからのＳＤＲＡＭ８０２へのアクセスリクエストに対して予め設定された優先順序に則ってアクセス許可を行ない、ＳＤＲＡＭ８０２のリード、ライト制御を行なう。
【００５９】
８０４、８０５、８０６、そして８０７はそれぞれ画像処理専用メモリコントローラ、画像処理専用メモリ、つなぎスジ補正処理回路、つなぎスジ補正処理回路以外の複数の画像処理回路であり、画像処理専用メモリコントローラ８０４はＳＤＲＡＭ８０２に格納された記録データを、画像処理を行なう為に読み出して、画像処理専用メモリ８０５へ格納する、その後所定の順序に従って複数の画像処理回路８０７の１つ、若しくはつなぎスジ補正処理回路８０６へ画像処理専用メモリコントローラ８０４を介して記録データを渡し、その画像処理回路にて所望の処理が終了したら、一旦画像処理専用メモリコントローラ８０４を介して画像処理専用メモリ８０５へ書き戻し、次の画像処理を行なう画像処理回路へ記録データを読み出して、これを必要な画像処理が全て実施されるまで繰り返す。この時つなぎスジ補正処理回路８０６は画像処理専用メモリコントローラ８０４とのインターフェースを用いて、記録データの読み書きを行なう。
【００６０】
一方印字中に突然印字が中断され、しばらく後に印字が再開された場合や、印字の途中に印字のパス数が多く変更された場合等の、追加でつなぎスジ補正処理を行なう必要が生じた場合には通常時のように記録データを一旦画像処理専用メモリ８０５に格納することなく、つなぎスジ補正処理回路８０６のメモリコントローラ８０３とのインターフェースから、メモリコントローラ８０３を介してＳＤＲＡＭ８０２から直接読み出して処理を行ない、直接ＳＤＲＡＭ８０２に書き戻す。
【００６１】
なお図示していないが、本実施形態の画像記録装置は第１の実施の形態と同様に、上述した記録動作や後述の記録データの生成に係る画像処理等を制御・実行する為の、ＣＰＵ，ＲＯＭ、ＲＡＭ、さらには専用回路より構成される制御部、外部のホスト装置との間で記録データや各種制御情報をやりとりするためのインタフェース部、キャリッジ駆動用のキャリッジ・モータ、給紙ローラ駆動用の給紙モータ、紙搬送駆動用の紙搬送モータなどを駆動するためのモータ・ドライバ、記録ヘッドを駆動するための記録ヘッド駆動用のドライバ、ユーザによる制御情報を入力するための操作パネル等を備えている。
【００６２】
図９は本実施の形態における、画像記録装置の処理手順を示すフローチャートである。
【００６３】
まずS９０１において所定の範囲の記録データをＳＤＲＡＭ８０２からメモリコントローラ８０３、画像処理専用メモリコントローラ８０４を経由して、画像処理専用メモリ８０４へ格納する。
【００６４】
次にS９０２では、必要な画像処理をつなぎスジ補正処理回路８０６及び複数の画像処理回路８０７において、画像処理専用メモリコントローラ８０４の制御により行い、Ｓ９０３に進む。
【００６５】
Ｓ９０３では、画像処理が終了した記録データをＳＤＲＡＭ８０２に書き戻す。
【００６６】
Ｓ９０４では、追加でつなぎスジ補正処理を行なう必要が生じたか否かを判断する。
【００６７】
Ｓ９０４において、追加でつなぎスジ補正処理を行なう必要が生じた場合にはＳ９０５に進む。
【００６８】
Ｓ９０５では、追加のつなぎスジ補正処理をメモリコントローラ８０３経由で、つなぎスジ補正処理回路８０６にて行ない、その後Ｓ９０６に進む。
【００６９】
一方Ｓ９０４において追加でつなぎスジ補正処理を行なう必要が生じなかった場合にはＳ９０６に進む。
【００７０】
そしてＳ９０６では、所定の処理が終了したデータを用いて印字を行なう。
【００７１】
Ｓ９０７では、記録が終了したか否かを判断する。
【００７２】
Ｓ９０７において、記録が終了していなかった場合にはS９０１に戻り、S９０１からS９０６までの処理を繰り返す。
【００７３】
S９０７において、記録が終了していた場合には処理を終了する。
【００７４】
尚、上記第1の実施の形態及び第2の実施の形態では、メモリコントローラ（１０３若しくは８０３）と画像処理専用メモリコントローラ（１０４若しくは８０４）は区別されているが、これらをまとめたものをメモリコントローラとし、ＳＤＲＡＭ及び画像処理専用メモリの両方に対する各ブロックからのアクセス要求に対しても制御を行なうような形態をとっても良い。
【図面の簡単な説明】
【００７５】
【図１】本発明の第1の実施形態における画像記録装置のブロック図である。
【図２】背景技術の項で記述した複数の画像処理手段を有するインクジェット画像記録装置の、内部の記録データ処理系のブロック図である。
【図３】背景技術の項で記述した複数の画像処理手段を有するインクジェット画像記録装置の、内部の記録データ処理系のブロック図である。
【図４】図３のインクジェット画像記録装置と同構成を有し、且つ内部の記録データ処理系につなぎスジ補正処理ブロックを備えたインクジェット画像記録装置の、内部の記録データ処理系のブロック図である。
【図５】インクジェット記録装置において、つなぎスジが発生するプロセスを示した図である。
【図６】インクジェット記録装置の主に記録部の概略構成を示す斜視図である。
【図７】本発明の第1の実施の形態における画像記録装置の、処理手順を示すフローチャートである。
【図８】本発明の第２の実施形態における画像記録装置のブロック図である。
【図９】本発明の第2の実施の形態における画像記録装置の、処理手順を示すフローチャートである。
【符号の説明】
【００７６】
１０１  ＣＰＵ
１０２  ＳＤＲＡＭ
１０３  メモリコントローラ
１０４  画像処理専用メモリコントローラ
１０５  画像処理専用メモリ
１０６  つなぎスジ補正処理回路ａ
１０７  つなぎスジ補正処理回路ｂ
１０８  画像処理回路
２０１  ＣＰＵ
２０２  ＲＡＭ
２０３  メモリコントローラ
２０４  画像処理手段ａ
２０５  画像処理手段ｂ
２０６  画像処理手段ｘ
３０１  ＣＰＵ
３０２  ＲＡＭ
３０３  メモリコントローラ
３０４  画像処理専用メモリコントローラ
３０５  画像処理専用ＲＡＭ
３０６  画像処理手段
４０１  ＣＰＵ
４０２  ＲＡＭ
４０３  メモリコントローラ
４０４  画像処理専用メモリコントローラ
４０５  画像処理専用ＲＡＭ
４０６  画像処理手段
４０７  つなぎスジ補正処理手段
６０１  インクカートリッジ
６０２  記録ヘッドのカートリッジ
６０３  キャリッジ
６０４  エンコーダスケール
６０５  紙送りローラ
６０６  補助ローラ
６０７  給紙ローラ
６０８  給紙ローラ
６０９  記録紙
６１０  ガイド軸
８０１  ＣＰＵ
８０２  ＳＤＲＡＭ
８０３  メモリコントローラ
８０４  画像処理専用メモリコントローラ
８０５  画像処理専用メモリ
８０６  つなぎスジ補正処理回路
８０７  画像処理回路。
【図１】
2008126621.tif 000003
【図２】
2008126621.tif 000004
【図３】
2008126621.tif 000005
【図４】
2008126621.tif 000006
【図５】
2008126621.tif 000007
【図６】
2008126621.tif 000008
【図７】
2008126621.tif 000009
【図８】
2008126621.tif 000010
【図９】
2008126621.tif 000011